(57)【要約】      （修正有）【課題】  医療廃棄物の分別から最終処分されるまでの各廃棄プロセスの管理が容易な医療廃棄物処理管理システムを提供する。【解決手段】  医療廃棄物の分別から最終処分されるまでの各廃棄プロセスにおける作業者や車両に個別の識別番号を付与して廃棄プロセス管理装置の識別番号登録テーブルに予め登録しておく。各廃棄処理プロセスごとに、廃棄物処理容器に付与してある固有の容器番号、廃棄物管理票の管理票番号を端末機で読み取り、当該廃棄プロセスに応じて付与されている識別番号とともに廃棄プロセス管理装置に送信する。それを受信した廃棄プロセス管理装置が時間情報を付加して関連付けし、廃棄プロセスデータとしてデータ記憶手段に記憶する。データ判定手段により、この廃棄プロセスデータを識別番号登録テーブルや廃棄プロセスデータと照合することによって当該廃棄プロセスの正否を判定し、判定情報を生成して当該端末機に返送する。【選択図】  図２
2006318440.tif 000002
【特許請求の範囲】
【請求項１】
医療廃棄物を収容するための廃棄物処理容器に付与する固有の容器番号と、
医療廃棄物の所定の廃棄プロセスを実行する個人や車両などに個別に付与する識別番号と、
前記廃棄物処理容器に添付される廃棄物管理票に付与してある管理票番号とによって医療廃棄物の廃棄処理プロセスを管理する医療廃棄物処理管理システムであって、
前記容器番号や前記管理票番号を読み取ることができるデータ読み取り手段を有し、該データ読み取り手段で読み取った前記容器番号や前記管理票番号を前記識別番号とともに送信することができるデータ通信手段を備えた端末機と、
前記識別番号が登録してある識別番号登録テーブルを有し、
前記端末機から送信されてくるデータを記憶することができるデータ記憶手段と、
前記識別番号登録テーブルに登録されている識別番号や前記データ記憶部に記憶してあるデータに基づき、前記所定の廃棄プロセスの正否を判定することができるデータ判定手段とを備えた廃棄プロセス管理装置から構成され、
前記所定の廃棄プロセスごとに、前記端末機のデータ読み取り手段によって、前記廃棄物処理容器に付与されている前記容器番号を読み取り、また、該廃棄物処理容器に前記廃棄物管理票が添付されている場合には該廃棄物管理票に付与されている前記管理票番号を読み取り、該読み取った容器番号や管理票番号を当該廃棄プロセスに応じて付与されている前記識別番号とともに前記廃棄プロセス管理装置に対して送信し、
前記廃棄プロセス管理装置は、前記端末機から送信された前記容器番号、前記管理票番号、前記識別番号に時間情報を付加して関連付けした廃棄プロセスデータを前記データ記憶手段に記憶し、前記データ判定手段により、該記憶した廃棄プロセスデータを前記識別番号登録テーブルや前記データ記憶手段に記憶してある廃棄プロセスデータと照合することによって当該廃棄プロセスの正否を判定し、該判定に応じた判定情報を生成して当該端末機に返送すること
を特徴とする医療廃棄物処理管理システム。
【請求項２】
更に、前記端末機から送信される前記容器番号、前記管理票番号、前記識別番号を受信して記憶し、前記廃棄プロセス管理装置に転送することができる機能を備えた廃棄物データ管理機器を加えた構成とし、前記所定の廃棄プロセスに応じて、前記端末機と前記廃棄プロセス管理装置の間で行われるデータ転送を該廃棄物データ管理機器により仲介するようにしたこと
を特徴とする請求項１に記載の医療廃棄物処理管理システム。
【請求項３】
前記端末機は、前記識別番号を予め設定する機能を備えていること
を特徴とする請求項１に記載の医療廃棄物処理管理システム。
【請求項４】
前記廃棄物処理容器は、前記容器番号を二次元コードとして印刷したタグが付加してあること
を特徴とする請求項１に記載の医療廃棄物処理管理システム。
【発明の詳細な説明】
【技術分野】
【０００１】
本発明は、医療廃棄物の分別から最終処分されるまでの各廃棄プロセスを管理することができる医療廃棄物処理管理システムに関するものである。
【背景技術】
【０００２】
産業廃棄物の処理を委託する際、マニフェストと呼ばれる管理票に産業廃棄物の排出事業者が産業廃棄物の名称、数量、運搬業者名、処分業者名などを記入することが義務づけられており、このマニフェストによって産業廃棄物の廃棄処理の流れを把握・管理するマニフェスト制度導入されており、産業廃棄物が処理されたことを最後までチェックし、不適正な処理による環境汚染の防止や不法投棄の未然防止を図っている。
【０００３】
この産業廃棄物は医療関係機関からも排出されており、その中に感染の危険性がある廃棄物、例えば、手袋，ガーゼ，注射針，メス，血液バッグなど、いわゆる感染性廃棄物が日常的に排出されるため、感染性廃棄物を含む廃棄物（以下、医療廃棄物）の処理を最後までチェックして管理する適切なしくみを構築することが求められている。
【０００４】
この医療廃棄物は、医療従事者によって廃棄物処理容器に分別され、清掃作業者が廃棄物処理容器を回収し、搬出されるまでの間、保管責任者の管理下で所定の場所に保管されており、収集運搬業者が医療関係機関から廃棄物処理容器を収集し、所定の中間処理事業者まで運搬され、所定の廃棄処理が施され、再び収集運搬業者によって収集・運搬され、最終処理事業者よって最終的に処分されている。
【０００５】
このような医療廃棄物を上述したマニフェスト（管理票）によって管理することはできるが、マニフェストの偽造や改竄が行われ、処理しきれない医療廃棄物の不法投棄、不正流出が行われているという問題が発生している。
【０００６】
そこで、医療廃棄物の廃棄処理プロセスを把握・管理するための様々な方法やシステムが考案されており、例えば、医療機関から廃棄物処理場までの間、医療廃棄物又は梱包容器にマニュフェスト情報を保存した電子媒体Ｍを添付して、医療廃棄物を流通させ、医療廃棄物が始点から終点まで適正に運搬されたことを確認できるように構成し、マニュフェスト情報を始点及び終点から管理機関に送信し、そこで医療廃棄物そのものと電子媒体Ｍに保存されたマニフェスト情報をマッチングすることにより、運搬が適法に終了したことと、マニュフェスト情報の迅速な検索を行うことができる医療廃棄物の管理方法などが考案されている（特許文献１参照）。
【特許文献１】特開２００２−２９７７４８号公報（第３−６頁、図１）
【発明の開示】
【発明が解決しようとする課題】
【０００７】
しかしながら、従来技術における医療廃棄物の管理方法や管理システムでは、医療関係機関から搬出された医療廃棄物を追跡して管理することは可能であるが、医療関係機関内の廃棄処理プロセス（分別→回収→保管→排出）を含んで管理することができず、また、現行の廃棄処理プロセスからの変更にコストがかかってしまうという問題もある。
【０００８】
また、医療廃棄物の最初の廃棄プロセスとなる分別が徹底されていないと、最終処分するまでの過程で分別するための作業が必要となり、また、医療廃棄物の分別が不徹底なままで排出することによって、注射針やメスなどで作業者が怪我をするなどの事故の危険も増大したり、不法投棄や不正流出などが誘発される恐れもあり、事故などが発生したときの責任の所在も不明確になってしまうという問題がある。
【０００９】
従って、医療廃棄物の分別から最終処分されるまでの各廃棄プロセスを管理することが容易なシステムを提供し、医療廃棄物を適正に廃棄処理させることに解決しなければならない課題を有する。
【課題を解決するための手段】
【００１０】
前記課題を解決するため、本発明に係る医療廃棄物処理管理システムは、医療廃棄物の分別から最終処分されるまでの各廃棄プロセスにおける作業者や車両に個別の識別番号を付与して廃棄プロセス管理装置の識別番号登録テーブルに予め登録しておき、各廃棄処理プロセスごとに、廃棄物処理容器に付与してある固有の容器番号、廃棄物管理票（マニフェスト）の管理票番号を端末機で読み取り、読み取った容器番号、管理票番号を当該廃棄プロセスに応じて付与されている識別番号とともに廃棄プロセス管理装置に送信し、廃棄プロセス管理装置が、端末機から送信されてくる容器番号、管理票番号、識別番号に時間情報を付加して関連付けし、廃棄プロセスデータとしてデータ記憶手段に記憶し、データ判定手段により、この廃棄プロセスデータを識別番号登録テーブルやデータ記憶手段に記憶してある廃棄プロセスデータと照合することによって当該廃棄プロセスの正否を判定し、判定に応じた判定情報を生成して当該端末機に返送する。
【００１１】
このような医療廃棄物処理管理システムによって、医療廃棄物の分別から最終処分されるまでの各廃棄プロセスにおける作業者、廃棄物処理容器、廃棄物管理票（マニフェスト）を関連付けて管理し、各廃棄プロセスが適正に実行されたか否かを容易に確認できるようになる。
【発明の効果】
【００１２】
本発明の医療廃棄物処理管理システムは、医療廃棄物の分別から最終処分までの各廃棄プロセスにおける作業者や車両に個別の識別番号を付与し、廃棄物処理容器に付与してある固有の容器番号、マニフェストのマニフェスト番号と関連付けして各廃棄プロセスの正否を管理することで、分別から最終処分までの責任の所在も明確化されるため、各廃棄処理プロセスの適正な実行を促進させることができるという優れた効果を奏するものである。
【００１３】
また、各廃棄プロセスを実行する作業者は、廃棄物処理容器に添付してあるタグやマニフェスト（廃棄物管理票）のバーコードなどを端末機で読み取って送信するだけでよいので、作業者の負担が小さく、また、現行の廃棄プロセス（分別〜最終処分）に適用することも容易であるというメリットがある。
【発明を実施するための最良の形態】
【００１４】
次に、本発明の医療廃棄物処理管理システムによる実施の形態について図面を参照して説明する。但し、図面は専ら解説のためのものであって、本発明の技術的範囲を限定するものではない。
【実施例１】
【００１５】
図１は、本発明を用いた医療廃棄物処理管理システムの構成を模式的に示した図であり、医療関係機関２，集運事業者３，廃棄物処理事業者４，廃棄物処理管理センター５の連携により医療廃棄物の廃棄処理を管理している。
【００１６】
まず、医療関係機関２について説明する。医療関係機関２では、医療活動によって発生する医療廃棄物１を廃棄物処理容器１０に分別して収容し、廃棄物に関する情報を記載した廃棄物管理票を廃棄物処理容器１０に添付して所定の集運事業者３に引き渡し、廃棄処分を依頼する。
【００１７】
例えば、注射針，注射筒，バイアルビン，メス，剃刀，ピンセットなどの鋭利なものを廃棄するための容器、レントゲン撮影時の定着液，現像液，検査廃液，水銀，シアンなどを廃棄するための容器、スピッツ，シャーレ，点滴パック，チューブ，試薬瓶などを廃棄するための容器、試薬，薬品，レントゲンフィルム，包帯，ゴム手袋，紙おむつなどを廃棄するための容器など、それぞれ廃棄物の種類に適った廃棄物処理容器１０に分別して収容する。
【００１８】
この廃棄物処理容器１０には、例えば、バーコードやＱＲコードなどのような図形パターン（以下、二次元コード）を印刷して張り付けたり、容器の表面に刻印したり、電波や電磁波で読み取り可能なＩＣタグやＲＦＩＤタグなどに記録して付加するなどして、個々の容器ごとに固有の容器番号（製造番号など）を付与されている。
【００１９】
また、医療廃棄物を排出する際には、所定機関が発行する廃棄物管理票（以下、マニフェスト１１）に廃棄物の名称、数量、運搬業者名、処分業者名などを記入し、マニフェスト１１を廃棄物処理容器１０に添付して所定の処理業者に廃棄処分を依頼することが義務づけられている。
【００２０】
このマニフェスト１１には、固有の発行番号（以下、マニフェスト番号）が付与されており、例えば、バーコードなどによって管理票自体に印刷されている。
【００２１】
端末機２１ａ，２１ｂ，２１ｃ，２１ｄは、容器番号、マニフェスト番号などを読み取ることができる読み取り手段を備え、読み取り手段で読み取ったデータと各廃棄プロセスの作業者に個別に付与されている識別番号を送信することができるＨ／Ｔ（ハンディターミナル）などの携帯機器（以下、Ｈ／Ｔ２１ａ，２１ｂ，２１ｃ，２１ｄ）である。
【００２２】
なお、作業者に個別に付与されている識別番号は、Ｈ／Ｔ２１ａ，２１ｂ，２１ｃ，２１ｄに予め設定しておく、読み取り手段で読み取る、キー入力するなどの方法によってセットすることができる。
【００２３】
また、Ｈ／Ｔ２１ａ，２１ｂ，２１ｃ，２１ｄは、医療機関管理用ＰＣ２０や廃棄物処理管理センター５の廃棄プロセス管理装置５０とデータ通信を行い、転送したデータの正否を確認することができる機能を備えている。
【００２４】
医療機関管理用ＰＣ２０は、Ｈ／Ｔ２１ａ〜２１ｄからデータ転送されてくる容器番号、識別番号、マニフェスト番号を受信し、受信したデータを記録・蓄積し、廃棄物処理管理センター５の廃棄プロセス管理装置５０にデータ転送し、また、医療機関管理用ＰＣ２０は、廃棄プロセス管理装置５０に転送した容器番号、識別番号、マニフェスト番号の登録状態や判定情報を確認したり、これらの情報をＨ／Ｔ２１ａ〜２１ｄに送信することができる機能を備えた廃棄物データ管理機器である。
【００２５】
更に、医療機関管理用ＰＣ２０は、記録・蓄積した容器番号、識別番号、マニフェスト番号のデータを利用して医療関係機関２内の各廃棄プロセスを管理することも可能である。
【００２６】
次に、集運事業者３について説明する。集運事業者３は、運搬収集車両３２などによって医療関係機関２から排出される廃棄物処理容器１０及びマニフェスト１１を収集し、所定の廃棄物処理事業者４に運搬する。なお、図示していないが、廃棄物処理事業者４から排出される廃棄物処理容器１０を収集し、別の廃棄物処理事業者４に運搬する場合もある。
【００２７】
端末機３１は、上述した医療関係機関２のＨ／Ｔ２１ａ〜２１ｄと同等の機能を有しており、容器番号、マニフェスト番号などを読み取ることができる読み取り手段を備え、読み取り手段で読み取ったデータと運搬収集車両３２に個別に付与されている識別番号をＨ／Ｔ（ハンディターミナル）などの携帯機器（以下、Ｈ／Ｔ３１）である。
【００２８】
なお、作業者に個別に付与されている識別番号は、Ｈ／Ｔ３１に予め設定しておく、読み取り手段で読み取る、キー入力するなどの方法によってセットすることができる。
【００２９】
また、Ｈ／Ｔ３１は、集運事業者管理用ＰＣ３０や廃棄物処理管理センター５の廃棄プロセス管理装置５０とデータ通信を行い、転送したデータの正否を確認することができる機能を備えている。
【００３０】
集運事業者管理用ＰＣ３０は、Ｈ／Ｔ３１から転送されてくる容器番号、識別番号、マニフェスト番号を受信し、受信したデータを記録・蓄積し、廃棄物処理管理センター５の廃棄プロセス管理装置５０にデータ転送し、また、集運事業者管理用ＰＣ３０は、廃棄プロセス管理装置５０に転送した容器番号、識別番号、マニフェスト番号の登録状態や判定情報を確認したり、これらの情報をＨ／Ｔ３１に送信することができる機能を備えた廃棄物データ管理機器である。
【００３１】
更に、集運事業者管理用ＰＣ３０は、記録・蓄積した容器番号、識別番号、マニフェスト番号のデータを利用して集運事業者３内の廃棄プロセスを管理することも可能である。
【００３２】
次に、廃棄物処理事業者４について説明する。廃棄物処理事業者４では、集運事業者３が運搬してきた廃棄物処理容器１０及びマニフェスト１１を引き取って、焼却処分、埋め立て処分、化学処理、リサイクル処理などの廃棄処分を行う。なお、図示していないが、廃棄物処理容器１０を再分別して、別の廃棄物処理事業者４に排出する場合もある。
【００３３】
端末機４１は、上述した医療関係機関２のＨ／Ｔ２１ａ〜２１ｄや集運事業者３のＨ／Ｔ３１と同等の機能を有しており、容器番号、マニフェスト番号などを読み取ることができる読み取り手段を備え、読み取り手段で読み取ったデータと各廃棄プロセスの作業者に個別に付与されている識別番号を送信することができるＨ／Ｔ（ハンディターミナル）などの携帯機器（以下、Ｈ／Ｔ４１）である。
【００３４】
なお、作業者に個別に付与されている識別番号は、Ｈ／Ｔ４１に予め設定しておく、読み取り手段で読み取る、キー入力するなどの方法によってセットすることができる。
【００３５】
また、Ｈ／Ｔ４１は、処理事業者管理用ＰＣ４０や廃棄物処理管理センター５の廃棄プロセス管理装置５０とデータ通信を行い、転送したデータの正否を確認することができる機能を備えている。
【００３６】
処理事業者管理用ＰＣ４０は、Ｈ／Ｔ４１から転送されてくる容器番号、識別番号、マニフェスト番号を受信し、受信したデータを記録・蓄積し、廃棄物処理管理センター５の廃棄プロセス管理装置５０にデータ転送し、また、処理事業者管理用ＰＣ４０は、廃棄プロセス管理装置５０に転送した容器番号、識別番号、マニフェスト番号の登録状態や判定情報を確認したり、これらの情報をＨ／Ｔ４１に送信することができる機能を備えた廃棄物データ管理機器である。
【００３７】
更に、処理事業者管理用ＰＣ４０は、記録・蓄積した容器番号、識別番号、マニフェスト番号のデータを利用して廃棄物処理事業者４内の廃棄プロセスを管理することも可能である。
【００３８】
次に、廃棄物処理管理センター５について説明する。廃棄物処理管理センター５には、医療関係機関２，集運事業者３，廃棄物処理事業者４における廃棄プロセスが適正に行われているか否かを管理する廃棄プロセス管理装置５０が配置される。
【００３９】
廃棄プロセス管理装置５０は、識別番号登録テーブル５１、データ記憶部５２、データ判定部５３を具備しており、医療機関管理用ＰＣ２０，集運事業者管理用ＰＣ３０，処理事業者管理用ＰＣ４０とデータ通信する機能を備えている。又、Ｈ／Ｔ２１ａ〜２１ｄ,Ｈ／Ｔ３１,Ｈ／Ｔ４１などの端末機とデータ通信することも可能である。
【００４０】
識別番号登録テーブル５１には、医療関係機関２，集運事業者３，廃棄物処理事業者４における各廃棄プロセスを実行する作業者、運搬収集車両に個別に付与されている識別番号が予め登録して記録ある。
【００４１】
データ記憶部５２は、医療機関管理用ＰＣ２０，集運事業者管理用ＰＣ３０，処理事業者管理用ＰＣ４０（又は、Ｈ／Ｔ２１ａ〜２１ｄ,Ｈ／Ｔ３１,Ｈ／Ｔ４１などの端末機）からデータ転送されてくる容器番号、マニフェスト番号、識別番号に時間情報を付加して関連付けし、これらのデータを廃棄プロセスデータとして記憶・蓄積する。
【００４２】
データ判定部５３は、識別番号登録テーブル５１に予め登録されている識別番号やデータ記憶部５２の廃棄プロセスデータに基づいて、データ転送されてくる容器番号、マニフェスト番号、識別番号の正否を判定することにより、廃棄プロセスの正否を判定し、その判定情報を生成して医療機関管理用ＰＣ２０，集運事業者管理用ＰＣ３０，処理事業者管理用ＰＣ４０（又は、Ｈ／Ｔ２１ａ〜２１ｄ,Ｈ／Ｔ３１,Ｈ／Ｔ４１などの端末機）に送出する機能を備えている。
【００４３】
続いて、図１に示した医療廃棄物処理管理システムによる医療廃棄物の具体的な管理方法について、図２及び図３〜７を参照しながら説明する。
【００４４】
図２は、医療廃棄物の分別から最終処分されるまでの各廃棄プロセスと、各廃棄プロセスを実行する作業者や車両に個別に付与されている識別番号と、各廃棄プロセスにおいて端末機で読み取るデータ及び転送するデータとの関係を示した図である。
【００４５】
まず、医療関係機関２における廃棄プロセスについて図３のフローチャートを参照しながら説明する。
【００４６】
医療関係機関２では、医療従事者、清掃作業者、保管責任者、排出責任者によって廃棄プロセスが分担されている。
【００４７】
そして、例えば、図２のように、医療従事者には分別者コード(Rn)、清掃作業者には回収者コード(Sn)、保管責任者には保管者コード(Tn)、排出責任者には排出者コード(Un)という識別番号を個人別に付与しておき、これらの識別番号を予め廃棄物処理管理センター５に設置される廃棄プロセス管理装置５０の識別番号登録テーブル５１に登録しておく。
【００４８】
医療関係機関２における最初の廃棄プロセス（分別）では、医療活動によって発生した医療廃棄物１を必ず医療従事者が分別し、所定の廃棄物処理容器１０に収容する。例えば、図２に示すように、廃棄物処理容器１０ａ,１０ｂに分別して収容する。
【００４９】
このとき、医療従事者は、Ｈ／Ｔ２１ａによって、廃棄物処理容器１０ａ,１０ｂに付加されているタグなどから容器番号を読み取り、読み取った容器番号（No:A,No:B）と自分に付与されている分別者コード(Rn)を医療機関管理用ＰＣ２０にデータ転送する（Ｓ１００、Ｓ１０１）。
【００５０】
医療機関管理用ＰＣ２０は、Ｈ／Ｔ２１ａからデータ転送されてきた容器番号（No:A,No:B）／分別者コード(Rn)を記録・蓄積して廃棄物処理管理センター５の廃棄プロセス管理装置５０にデータ転送する（Ｓ１０２）。
【００５１】
なお、ここで、廃棄プロセス管理装置５０から送られてくる廃棄プロセスの判定情報を医療機関管理用ＰＣ２０やＨ／Ｔ２１ａで確認するようにしてもよい。また、Ｈ／Ｔ２１ａは、医療機関管理用ＰＣ２０を介さずに廃棄プロセス管理装置５０へ直接データ転送することも可能である。
【００５２】
次の廃棄プロセス（回収）では、清掃作業者が医療関係機関２０内にある廃棄物処理容器１０を回収し、所定の保管場所に運搬する。
【００５３】
このとき、清掃作業者は、Ｈ／Ｔ２１ｂによって、回収した廃棄物処理容器１０ａ,１０ｂ,１０ｃに付加されているタグなどから容器番号を読み取り、読み取った容器番号（No:A,No:B,No:C）と自分に付与されている回収者コード(Sn)を医療機関管理用ＰＣ２０にデータ転送する（Ｓ１０３、Ｓ１０４）。
【００５４】
医療機関管理用ＰＣ２０は、Ｈ／Ｔ２１ｂからデータ転送されてきた容器番号（No:A,No:B,No:C）／回収者コード(Sn)を記録・蓄積し、廃棄物処理管理センター５の廃棄プロセス管理装置５０にデータ転送する（Ｓ１０５）。
【００５５】
なお、ここで、廃棄プロセス管理装置５０から送られてくる廃棄プロセスの判定情報を医療機関管理用ＰＣ２０やＨ／Ｔ２１ｂで確認するようにしてもよい。また、Ｈ／Ｔ２１ｂは、医療機関管理用ＰＣ２０を介さずに廃棄プロセス管理装置５０へ直接データ転送することも可能である。
【００５６】
次の廃棄プロセス（保管）では、所定の保管場所に集められる廃棄物処理容器１０を排出するまでの間、保管責任者の管理のもとで保管しておく。
【００５７】
このとき、保管責任者は、Ｈ／Ｔ２１ｃによって、回収されてきた廃棄物処理容器１０ａ,１０ｂ,１０ｃに付加されているタグなどから容器番号を読み取り、読み取った容器番号（No:A,No:B,No:C）と自分に付与されている保管者コード(Tn)を医療機関管理用ＰＣ２０にデータ転送する（Ｓ１０６、Ｓ１０７）。
【００５８】
医療機関管理用ＰＣ２０は、Ｈ／Ｔ２１ｃからデータ転送されてきた容器番号（No:A,No:B,No:C）／保管者コード(Tn)を記録・蓄積し、廃棄物処理管理センター５の廃棄プロセス管理装置５０にデータ転送する（Ｓ１０８）。
【００５９】
なお、ここで、廃棄プロセス管理装置５０から送られてくる廃棄プロセスの判定情報を医療機関管理用ＰＣ２０やＨ／Ｔ２１ｃで確認するようにしてもよい。また、Ｈ／Ｔ２１ｃは、医療機関管理用ＰＣ２０を介さずに廃棄プロセス管理装置５０へ直接データ転送することも可能である。
【００６０】
最後の廃棄プロセス（搬出）では、排出する廃棄物処理容器１０ａ,１０ｂ,１０ｃに収容されている医療廃棄物の情報を記載したマニフェスト１１ｘを添付し、廃棄物処理容器１０ａ,１０ｂ,１０ｃとマニフェスト１１ｘを所定の集運事業者３Ａに引き渡す。
【００６１】
このとき、排出責任者は、Ｈ／Ｔ２１ｄによって、まず、排出する廃棄物処理容器１０ａ,１０ｂ,１０ｃに付加されているタグなどから容器番号を読み取り、続いて、マニフェスト１１ｘのマニフェスト番号を読み取る（Ｓ１０９）。
【００６２】
そして、Ｈ／Ｔ２１ｄによって、読み取った容器番号（No:A,No:B,No:C）及びマニフェスト番号（No:xxx）と自分に付与されている排出者コード(Un)を医療機関管理用ＰＣ２０にデータ転送する（Ｓ１１０）。
【００６３】
医療機関管理用ＰＣ２０は、Ｈ／Ｔ２１ｄからデータ転送されてきた容器番号（No:A,No:B,No:C）／マニフェスト番号（No:xxx）／排出者コード(Un)を記録・蓄積し、廃棄物処理管理センター５の廃棄プロセス管理装置５０にデータ転送する（Ｓ１１１）。なお、Ｈ／Ｔ２１ｄは、医療機関管理用ＰＣ２０を介さずに廃棄プロセス管理装置５０へ直接データ転送することも可能である。
【００６４】
そして、医療機関管理用ＰＣ２０やＨ／Ｔ２１ｄによって、廃棄プロセス管理装置５０から送られてくる判定情報を確認し、医療関係機関内２における廃棄プロセスの正否を確認してから、廃棄物処理容器１０ａ,１０ｂ,１０ｃとマニフェスト１１ｘを集運事業者３Ａに引き渡す（Ｓ１１２）。
【００６５】
なお、上述した医療関係機関内の廃棄プロセスにおいて、医療機関管理用ＰＣ２０に最後の廃棄プロセス（排出）の読み取りデータをすべて蓄積してから廃棄プロセス管理装置５０に対するデータ転送を行うようにしてもよい。
【００６６】
一方、医療関係機関２内において上記廃棄プロセスが実行されたときの廃棄物処理管理センター５の廃棄プロセス管理装置５０の動作について図４のフローチャートを参照しながら説明する。
【００６７】
廃棄プロセス管理装置５０では、医療機関管理用ＰＣ２０からデータ転送されてくる容器番号、識別番号、マニフェスト番号を受信すると、受信した容器番号、識別番号、マニフェスト番号に時間情報を付加して関連付けを行い、廃棄プロセスデータとしてデータ記憶部５２に記憶する（Ｓ２００、Ｓ２０１、Ｓ２０３）。
【００６８】
続いて、データ判定部５３により、記憶した廃棄プロセスデータを識別番号登録テーブル５１やデータ記憶部５２のデータと照合し、廃棄プロセスが適正であるか否かを判定する（Ｓ２０４）。
【００６９】
廃棄プロセスデータが適正である場合、廃棄プロセスが適正であることを示す判定情報を生成して医療機関管理用ＰＣ２０に返送する（Ｓ２０４）。
【００７０】
また、廃棄プロセスデータが不正であると判定した場合は、廃棄プロセスが不正であることを示す判定情報を生成して医療機関管理用ＰＣ２０へ返送する（Ｓ２０４）。
【００７１】
なお、上記廃棄プロセスの判定情報は、Ｈ／Ｔ２１ａ，Ｈ／Ｔ２１ｂ，Ｈ／Ｔ２１ｃ，Ｈ／Ｔ２１ｄへ直接返送することも可能である。
【００７２】
続いて、医療関係機関２から排出された後の廃棄プロセスについて説明する。
【００７３】
医療関係機関２から排出された廃棄物の廃棄プロセスは、集運業者３Ａ、中間処理事業者４Ａ、集運事業者３Ｂ、最終処理事業者４Ｂによって分担されている。
【００７４】
そして、図２に示すように、集運業者３Ａの廃棄物収集運搬車には車両コード(Vn)、中間処理事業者４の処分責任者や排出責任者には処分者コード(Wn)、排出者コード(Xn)、集運業者３Ｂの廃棄物収集車には車両コード(Yn)、最終処理事業者４Ｂの処分責任者には排出者コード(Zn)という識別番号を個別に付与しておき、これらの識別番号を予め廃棄物処理管理センター５に設置される廃棄プロセス管理装置５０の識別番号登録テーブル５１に登録しておく。
【００７５】
まず、集運業者３Ａにおける廃棄プロセスについて図５のフローチャートを参照しながら説明する。
【００７６】
集運業者３Ａは、医療関係機関２の排出された廃棄物処理容器１０ａ，１０ｂ，１０ｃとマニフェスト１１ｘを受け取ると、Ｈ／Ｔ３１によって、まず、廃棄物処理容器１０ａ,１０ｂ,１０ｃに付加されているタグなどから容器番号を読み取り、次に、マニフェスト１１ｘのマニフェスト番号を読み取る（Ｓ３００、Ｓ３０１）。
【００７７】
そして、廃棄物処理容器１０ａ,１０ｂ,１０ｃとマニフェスト１１ｘを所定の中間処理事業者４Ａまで運搬し、引き渡しが完了すると、Ｈ／Ｔ３１によって、読み取った容器番号（No:A,No:B,No:C）及びマニフェスト番号（No:xxx）と運搬した運搬収集車両３２に個別に付与されている車両コード(Vn)を集運事業者管理用ＰＣ３０Ａにデータ転送する（Ｓ３０２、Ｓ３０３、Ｓ３０４）。
【００７８】
集運事業者管理用ＰＣ３０Ａは、Ｈ／Ｔ３１からデータ転送されてきた容器番号（No:A,No:B,No:C）／マニフェスト番号（No:xxx）／車両コード(Vn)を記録・蓄積して廃棄物処理管理センター５の廃棄プロセス管理装置５０にデータ転送する（Ｓ３０５）。
【００７９】
そして、集運事業者管理用ＰＣ３０Ａによって、廃棄プロセス管理装置５０から送られてくる判定情報を確認し、廃棄プロセスの正否を確認する（Ｓ３０６）。
【００８０】
なお、Ｈ／Ｔ３１は、集運事業者管理用ＰＣ３０Ａを介さずに廃棄プロセス管理装置５０へ直接データ転送することも可能である。
【００８１】
一方、集運事業者３Ａよって上記各廃棄プロセスが実行されたときの廃棄物処理管理センター５の廃棄プロセス管理装置５０の動作について図４のフローチャートを参照しながら説明する。
【００８２】
廃棄プロセス管理装置５０では、集運事業者管理用ＰＣ３０Ａからデータ転送されてくる容器番号（No:A,No:B,No:C）／マニフェスト番号（No:xxx）／車両コード(Vn)を受信すると、受信した容器番号（No:A,No:B,No:C）／マニフェスト番号（No:xxx）／車両コード(Vn)に時間情報を付加して関連付けを行い、廃棄プロセスデータとしてデータ記憶部５２に記憶する（Ｓ２００、Ｓ２０１、Ｓ２０３）。
【００８３】
続いて、データ判定部５３により、記憶した廃棄プロセスデータを識別番号登録テーブル５１やデータ記憶部５２のデータと照合し、廃棄プロセスが適正であるか否かを判定する（Ｓ２０４）。
【００８４】
廃棄プロセスデータが適正である場合、廃棄プロセスが適正であることを示す判定情報を生成して集運事業者管理用ＰＣ３０Ａに返送する（Ｓ２０４）。
【００８５】
また、廃棄プロセスデータが不正であると判定した場合は、廃棄プロセスが不正であることを示す判定情報を生成して集運事業者管理用ＰＣ３０Ａへ返送する（Ｓ２０４）。
【００８６】
なお、上記廃棄プロセスの判定情報は、Ｈ／Ｔ３１へ直接返送することも可能である。
【００８７】
次に、中間処理事業者４Ａにおける廃棄プロセスについて図６のフローチャートを参照しながら説明する。
【００８８】
中間処理事業者４Ａは、上述した集運業者３Ａによって収集運搬されてきた廃棄物処理容器１０ａ，１０ｂ，１０ｃとマニフェスト１１ｘを受け取ると、Ｈ／Ｔ４１によって、まず、廃棄物処理容器１０ａ，１０ｂ，１０ｃに付加されているタグなどから容器番号を読み取り、次に、マニフェスト１１ｘのマニフェスト番号を読み取る（Ｓ４００、Ｓ４０１）。
【００８９】
そして、Ｈ／Ｔ４１で読み取った容器番号（No:A,No:B,No:C）及びマニフェスト番号（No:xxx）を処分事業者管理用ＰＣ４０Ａにデータ転送する（Ｓ４０２）。
【００９０】
また、中間処理事業者４Ａでは、別の医療関係機関からも医療廃棄物が運搬されてくるので、同じく、容器番号及びマニフェスト番号を読み取って処分事業者管理用ＰＣ４０Ａにデータ転送する。
【００９１】
例えば、図２に示すように、Ｈ／Ｔ４１によって、別の医療関係機関などから運搬されてきた廃棄物処理容器１０ｄや廃棄物処理容器１０ｅの容器番号及び添付されてくるマニフェスト１１ｙ，１１ｚのマニフェスト番号を読み取り、読み取った容器番号（No:D）,（No:E）及びマニフェスト番号（No:yyy）,（No:zzz）を処分事業者管理用ＰＣ４０Ａにデータ転送する。
【００９２】
処分事業者管理用ＰＣ４０Ａは、Ｈ／Ｔ４１からデータ転送されてきた容器番号（No:A,No:B,No:C）,（No:D）,（No:E）及びマニフェスト番号（No:xxx）,（No:yyy）,（No:zzz）を記録・蓄積して処分事業者内の管理などに利用する。なお、別途、識別番号を設け、廃棄物処理管理センター５の廃棄プロセス管理装置５０にデータ転送して利用するようにしてもよい（Ｓ４０３）。
【００９３】
次に、これらの廃棄物処理容器を最終処分できるものと別の処理事業者（最終処理事業者）へ排出するものに分類する（Ｓ４０４）。
【００９４】
ここで、廃棄物処理容器を最終処分する場合（ここでは、廃棄物処理容器１０ａ,１０ｂ）、この廃棄プロセス（中間処理；処分）において、処分責任者がＨ／Ｔ４１によって、まず、廃棄物処理容器１０ａ,１０ｂに付加されているタグなどから容器番号を読み取り、続いて、廃棄物処理容器１０ａ,１０ｂの情報が記載されているマニフェスト１１ｘのマニフェスト番号を読み取る（Ｓ４０４→Ｓ４０５）。
【００９５】
そして、廃棄物処理容器１０ａ,１０ｂの廃棄処分が完了すると、処分責任者は、Ｈ／Ｔ４１で読み取った容器番号（No:A,No:B）及びマニフェスト番号（No:xxx）と自分に付与されている処分者コード(Wn)を処分事業者管理用ＰＣ４０Ａにデータ転送する（Ｓ４０６、Ｓ４０７）。
【００９６】
処分事業者管理用ＰＣ４０Ａは、Ｈ／Ｔ４１からデータ転送されてきた容器番号（No:A,No:B）／マニフェスト番号（No:xxx）／処分者コード(Wn)を記録・蓄積し、廃棄物処理管理センター５の廃棄プロセス管理装置５０にデータ転送する（Ｓ４０８）。  
【００９７】
そして、処分事業者管理用ＰＣ４０Ａによって、廃棄プロセス管理装置５０から送られてくる判定情報を確認し、廃棄プロセスの正否を確認する（Ｓ４０９）。
【００９８】
なお、Ｈ／Ｔ４１は、処分事業者管理用ＰＣ４０Ａを介さずに廃棄プロセス管理装置５０へ直接データ転送することも可能である。
【００９９】
また、上述したステップＳ４０４において、廃棄物処理容器を他の処理事業者（最終処分事業者）へ排出する場合、同種の医療廃棄物が収容されている複数の廃棄物処理容器を１つにまとめ、新たな容器番号が付与されている別の廃棄物処理容器に収容したものとみなす。
【０１００】
例えば、図２のように、廃棄物処理容器１０ｃ,１０ｄ,１０ｅを１つにまとめて排出する場合、容器番号（No:F）が付与された廃棄物処理容器１０ｆに収容したものとみなす。
【０１０１】
この廃棄プロセス（中間処理；排出）では、まず、排出責任者がＨ／Ｔ４１によって、廃棄物処理容器１０ｃ,１０ｄ,１０ｅに添付されていたマニフェスト１１ｘ，１１ｙ，１１ｚからそれぞれのマニフェスト番号（No:xxx）,（No:yyy）,（No:zzz）を読み取る（Ｓ４０４→Ｓ４１０）。
【０１０２】
次に、Ｈ／Ｔ４１によって、廃棄物処理容器１０ｃ,１０ｄ,１０ｅを１つにまとめた新たな廃棄物処理容器１０ｆに付与してある容器番号（No:F）を読み取る（Ｓ４１１）。
【０１０３】
そして、読み取ったマニフェスト番号（No:xxx）,（No:yyy）,（No:zzz）及び容器番号（No:F）と自分に付与されている排出者コード(Xn)を処分事業者管理用ＰＣ４０Ａにデータ転送する（Ｓ４１２）。
【０１０４】
処分事業者管理用ＰＣ４０Ａは、Ｈ／Ｔ４１からデータ転送されてきたマニフェスト番号（No:xxx）,（No:yyy）,（No:zzz）／容器番号（No:F）／排出者コード(Xn)を記録・蓄積し、廃棄物処理管理センター５の廃棄プロセス管理装置５０にデータ転送する（Ｓ４１３）。  
【０１０５】
そして、処分事業者管理用ＰＣ４０Ａによって、廃棄プロセス管理装置５０から送られてくる判定情報を確認し、廃棄プロセスの正否を確認してから、廃棄物処理容器１０ｆとマニフェスト１１ｘ，１１ｙ，１１ｚを集運事業者３Ｂに引き渡す（Ｓ４１４）。
【０１０６】
一方、中間処理事業者４Ａによって上記各廃棄プロセスが実行されたときの廃棄物処理管理センター５の廃棄プロセス管理装置５０の動作について図４のフローチャートを参照しながら説明する。
【０１０７】
廃棄プロセス管理装置５０では、処分事業者管理用ＰＣ４０Ａからデータ転送されてくる容器番号（No:A,No:B）／マニフェスト番号（No:xxx）／処分者コード(Wn)、マニフェスト番号（No:xxx）,（No:yyy）,（No:zzz）／容器番号（No:F）／排出者コード(Xn)を受信すると、受信したマニフェスト番号、容器番号、処分者コードや排出者コードに時間情報を付加して関連付けを行い、廃棄プロセスデータとしてデータ記憶部５２に記憶する（Ｓ２００、Ｓ２０１、Ｓ２０３）。
【０１０８】
続いて、データ判定部５３により、記憶した廃棄プロセスデータを識別番号登録テーブル５１やデータ記憶部５２のデータと照合し、廃棄プロセスが適正であるか否かを判定する（Ｓ２０４）。
【０１０９】
廃棄プロセスデータが適正である場合、廃棄プロセスが適正であることを示す判定情報を生成して処分事業者管理用ＰＣ４０Ａに返送する（Ｓ２０４）。
【０１１０】
また、廃棄プロセスデータが不正であると判定した場合は、廃棄プロセスが不正であることを示す判定情報を生成して処分事業者管理用ＰＣ４０Ａへ返送する（Ｓ２０４）。
【０１１１】
なお、上記廃棄プロセスの判定情報は、Ｈ／Ｔ４１へ直接返送することも可能である。
【０１１２】
次に、集運業者３Ｂにおける廃棄プロセスについて説明する。集運業者３Ｂは、上述した集運業者３Ａと同様の廃棄プロセスであるので、図５を参照しながら説明する。
【０１１３】
集運業者３Ｂは、中間処理事業者４Ａから排出された廃棄物処理容器１０ｆとマニフェスト１１ｘ,１１ｙ,１１ｚを受け取ると、Ｈ／Ｔ３１によって、まず、マニフェスト１１ｘ,１１ｙ,１１ｚのマニフェスト番号を読み取り、次に、廃棄物処理容器１０ｆの容器番号を読み取る（Ｓ３００、Ｓ３０１）。
【０１１４】
そして、廃棄物処理容器１０ｆとマニフェスト１１ｘ,１１ｙ,１１ｚを最終処理事業者４Ｂまで運搬し、引き渡しが完了すると、Ｈ／Ｔ３１によって、読み取ったマニフェスト番号（No:xxx）,（No:yyy）,（No:zzz）及び容器番号（No:F）と運搬した運搬収集車両３２に個別に付与されている車両コード(Yn)を集運事業者管理用ＰＣ３０Ｂにデータ転送する（Ｓ３０２、Ｓ３０３、Ｓ３０４）。
【０１１５】
集運事業者管理用ＰＣ３０Ｂは、Ｈ／Ｔ３１からデータ転送されてきたマニフェスト番号（No:xxx）,（No:yyy）,（No:zzz）／容器番号（No:F）／車両コード(Yn)を記録・蓄積して廃棄物処理管理センター５の廃棄プロセス管理装置５０にデータ転送する（Ｓ３０５）。
【０１１６】
そして、集運事業者管理用ＰＣ３０Ｂによって、廃棄プロセス管理装置５０から送られてくる判定情報を確認し、廃棄プロセスの正否を確認する（Ｓ３０６）。
【０１１７】
なお、Ｈ／Ｔ３１は、集運事業者管理用ＰＣ３０Ｂを介さずに廃棄プロセス管理装置５０へ直接データ転送することも可能である。
【０１１８】
一方、集運事業者３Ｂよって上記各廃棄プロセスが実行されたときの廃棄物処理管理センター５の廃棄プロセス管理装置５０の動作について図４のフローチャートを参照しながら説明する。
【０１１９】
廃棄プロセス管理装置５０では、集運事業者管理用ＰＣ３０Ｂからデータ転送されてくるマニフェスト番号（No:xxx）,（No:yyy）,（No:zzz）／容器番号（No:F）／車両コード(Yn)を受信すると、受信したマニフェスト番号（No:xxx）,（No:yyy）,（No:zzz）／容器番号（No:F）／車両コード(Yn)に時間情報を付加して関連付けを行い、廃棄プロセスデータとしてデータ記憶部５２に記憶する（Ｓ２００、Ｓ２０１、Ｓ２０３）。
【０１２０】
続いて、データ判定部５３により、記憶した廃棄プロセスデータを識別番号登録テーブル５１やデータ記憶部５２のデータと照合し、廃棄プロセスが適正であるか否かを判定する（Ｓ２０４）。
【０１２１】
廃棄プロセスデータが適正である場合、廃棄プロセスが適正であることを示す判定情報を生成して集運事業者管理用ＰＣ３０Ｂに返送する（Ｓ２０４）。
【０１２２】
また、廃棄プロセスデータが不正であると判定した場合は、廃棄プロセスが不正であることを示す判定情報を生成して集運事業者管理用ＰＣ３０Ｂへ返送する（Ｓ２０４）。
【０１２３】
なお、上記廃棄プロセスの判定情報は、Ｈ／Ｔ３１へ直接返送することも可能である。
【０１２４】
次に、最終処理事業者４Ｂにおける廃棄プロセスについて図７のフローチャートを参照しながら説明する。
【０１２５】
最終処理事業者４Ｂは、上述した集運業者３Ｂによって収集運搬されてきた廃棄物処理容器１０ｆとマニフェスト１１ｘ,１１ｙ,１１ｚを受け取ると、Ｈ／Ｔ４１によって、まず、マニフェスト１１ｘ,１１ｙ,１１ｚのマニフェスト番号を読み取り、次に、廃棄物処理容器１０ｆの容器番号を読み取る（Ｓ５００、Ｓ５０１）。
【０１２６】
そして、廃棄物処理容器１０ｆの廃棄処分が完了すると、処分責任者は、Ｈ／Ｔ４１で読み取ったマニフェスト番号（No:xxx）,（No:yyy）,（No:zzz）及び容器番号（No:F）と自分に付与されている処分者コード(Zn)を処分事業者管理用ＰＣ４０Ｂにデータ転送する（Ｓ５０２、Ｓ５０３）。
【０１２７】
処分事業者管理用ＰＣ４０Ｂは、Ｈ／Ｔ４１からデータ転送されてきたマニフェスト番号（No:xxx）,（No:yyy）,（No:zzz）／容器番号（No:F）／処分者コード(Zn)を記録・蓄積し、これらのデータを廃棄物処理管理センター５の廃棄プロセス管理装置５０にデータ転送する（Ｓ５０４）。
【０１２８】
そして、処分事業者管理用ＰＣ４０Ｂによって、廃棄プロセス管理装置５０から送られてくる判定情報を確認し、廃棄プロセスの正否を確認する（Ｓ５０５）。
【０１２９】
一方、最終処理事業者４Ｂによって上記各廃棄プロセスが実行されたときの廃棄物処理管理センター５の廃棄プロセス管理装置５０の動作について図４のフローチャートを参照しながら説明する。
【０１３０】
廃棄プロセス管理装置５０では、処分事業者管理用ＰＣ４０Ｂからデータ転送されてくるマニフェスト番号（No:xxx）,（No:yyy）,（No:zzz）／容器番号（No:F）／処分者コード(Zn)を受信すると、受信したマニフェスト番号（No:xxx）,（No:yyy）,（No:zzz）／容器番号（No:F）／処分者コード(Zn)に時間情報を付加して関連付けを行い、廃棄プロセスデータとしてデータ記憶部５２に記憶する（Ｓ２００、Ｓ２０１、Ｓ２０３）。
【０１３１】
続いて、データ判定部５３により、記憶した廃棄プロセスデータを識別番号登録テーブル５１やデータ記憶部５２のデータと照合し、廃棄プロセスが適正であるか否かを判定する（Ｓ２０４）。
【０１３２】
廃棄プロセスデータが適正である場合、廃棄プロセスが適正であることを示す判定情報を生成して処分事業者管理用ＰＣ４０Ｂに返送する（Ｓ２０４）。
【０１３３】
また、廃棄プロセスデータが不正であると判定した場合は、廃棄プロセスが不正であることを示す判定情報を生成して処分事業者管理用ＰＣ４０Ｂへ返送する（Ｓ２０４）。
【０１３４】
なお、上記廃棄プロセスの判定情報は、Ｈ／Ｔ４１へ直接返送することも可能である。
【０１３５】
このようにして、各廃棄プロセスの作業者や車両に個別の識別番号を付与し、この識別番号と廃棄物処理容器の容器番号及びマニフェストのマニフェスト番号とを関連付けして管理することで、医療廃棄物の分別から最終処分するまでの間の各廃棄プロセスの正否を確認することができる。
【実施例２】
【０１３６】
次に、１次マニフェストと２次マニフェストによって医療廃棄物の廃棄プロセスを管理する場合の実施例について、図８及び図９〜１３を参照しながら説明する。
【０１３７】
図８は、図２と同様、医療廃棄物の分別から最終処分されるまでの各廃棄プロセスと、各廃棄プロセスを実行する作業者や車両に個別に付与されている識別番号と、各廃棄プロセスにおいて端末機で読み取るデータ及び転送するデータとの関係を示した図であり、医療廃棄物の排出事業者である医療機関から中間処理事業者で処分されるまでの過程を１次マニフェストによって管理し、中間処理事業者から最終処理事業者で処分されるまでの過程を別のマニフェストとなる２次マニフェストによって管理している。
【０１３８】
まず、医療関係機関２における廃棄プロセスについて図９のフローチャートを参照しながら説明する。
【０１３９】
医療関係機関２では、医療従事者、清掃作業者、保管責任者、排出責任者によって廃棄プロセスが分担されている。
【０１４０】
そして、例えば、図８のように、医療従事者には分別者コード(Rn)、清掃作業者には回収者コード(Sn)、保管責任者には保管者コード(Tn)、排出責任者には排出者コード(Un)という識別番号を個人別に付与しておき、これらの識別番号を予め廃棄物処理管理センター５に設置される廃棄プロセス管理装置５０の識別番号登録テーブル５１に登録しておく。
【０１４１】
医療関係機関２における最初の廃棄プロセス（分別）では、医療活動によって発生した医療廃棄物１を必ず医療従事者が分別し、所定の廃棄物処理容器１０に収容する。例えば、図８に示すように、廃棄物処理容器１０ａ,１０ｂに分別して収容する。
【０１４２】
このとき、医療従事者は、Ｈ／Ｔ２１ａによって、廃棄物処理容器１０ａ,１０ｂに付加されているタグなどから容器番号を読み取り、読み取った容器番号（No:A,No:B）と自分に付与されている分別者コード(Rn)を医療機関管理用ＰＣ２０にデータ転送する（Ｓ１００'、Ｓ１０１'）。
【０１４３】
医療機関管理用ＰＣ２０は、Ｈ／Ｔ２１ａからデータ転送されてきた容器番号（No:A,No:B）／分別者コード(Rn)を記録・蓄積して廃棄物処理管理センター５の廃棄プロセス管理装置５０にデータ転送する（Ｓ１０２'）。
【０１４４】
なお、ここで、廃棄プロセス管理装置５０から送られてくる廃棄プロセスの判定情報を医療機関管理用ＰＣ２０やＨ／Ｔ２１ａで確認するようにしてもよい。また、Ｈ／Ｔ２１ａは、医療機関管理用ＰＣ２０を介さずに廃棄プロセス管理装置５０へ直接データ転送することも可能である。
【０１４５】
次の廃棄プロセス（回収）では、清掃作業者が医療関係機関２０内にある廃棄物処理容器１０を回収し、所定の保管場所に運搬する。
【０１４６】
このとき、清掃作業者は、Ｈ／Ｔ２１ｂによって、回収した廃棄物処理容器１０ａ,１０ｂ,１０ｃに付加されているタグなどから容器番号を読み取り、読み取った容器番号（No:A,No:B,No:C）と自分に付与されている回収者コード(Sn)を医療機関管理用ＰＣ２０にデータ転送する（Ｓ１０３'、Ｓ１０４'）。
【０１４７】
医療機関管理用ＰＣ２０は、Ｈ／Ｔ２１ｂからデータ転送されてきた容器番号（No:A,No:B,No:C）／回収者コード(Sn)を記録・蓄積し、廃棄物処理管理センター５の廃棄プロセス管理装置５０にデータ転送する（Ｓ１０５'）。
【０１４８】
なお、ここで、廃棄プロセス管理装置５０から送られてくる廃棄プロセスの判定情報を医療機関管理用ＰＣ２０やＨ／Ｔ２１ｂで確認するようにしてもよい。また、Ｈ／Ｔ２１ｂは、医療機関管理用ＰＣ２０を介さずに廃棄プロセス管理装置５０へ直接データ転送することも可能である。
【０１４９】
次の廃棄プロセス（保管）では、所定の保管場所に集められる廃棄物処理容器１０を排出するまでの間、保管責任者の管理のもとで保管しておく。
【０１５０】
このとき、保管責任者は、Ｈ／Ｔ２１ｃによって、回収されてきた廃棄物処理容器１０ａ,１０ｂ,１０ｃに付加されているタグなどから容器番号を読み取り、読み取った容器番号（No:A,No:B,No:C）と自分に付与されている保管者コード(Tn)を医療機関管理用ＰＣ２０にデータ転送する（Ｓ１０６'、Ｓ１０７'）。
【０１５１】
医療機関管理用ＰＣ２０は、Ｈ／Ｔ２１ｃからデータ転送されてきた容器番号（No:A,No:B,No:C）／保管者コード(Tn)を記録・蓄積し、廃棄物処理管理センター５の廃棄プロセス管理装置５０にデータ転送する（Ｓ１０８'）。
【０１５２】
なお、ここで、廃棄プロセス管理装置５０から送られてくる廃棄プロセスの判定情報を医療機関管理用ＰＣ２０やＨ／Ｔ２１ｃで確認するようにしてもよい。また、Ｈ／Ｔ２１ｃは、医療機関管理用ＰＣ２０を介さずに廃棄プロセス管理装置５０へ直接データ転送することも可能である。
【０１５３】
最後の廃棄プロセス（搬出）では、排出する廃棄物処理容器１０ａ,１０ｂ,１０ｃに収容されている医療廃棄物の情報を記載した１次マニフェスト１１ｘを添付し、廃棄物処理容器１０ａ,１０ｂ,１０ｃと１次マニフェスト１１ｘを所定の集運事業者３Ａに引き渡す。
【０１５４】
このとき、排出責任者は、Ｈ／Ｔ２１ｄによって、まず、排出する廃棄物処理容器１０ａ,１０ｂ,１０ｃに付加されているタグなどから容器番号を読み取り、続いて、１次マニフェスト１１ｘのマニフェスト番号（以下、１次マニフェスト番号）を読み取る（Ｓ１０９'）。
【０１５５】
そして、Ｈ／Ｔ２１ｄによって、読み取った容器番号（No:A,No:B,No:C）及び１次マニフェスト番号（No:xxx）と自分に付与されている排出者コード(Un)を医療機関管理用ＰＣ２０にデータ転送する（Ｓ１１０'）。なお、Ｈ／Ｔ２１ｄは、医療機関管理用ＰＣ２０を介さずに廃棄プロセス管理装置５０へ直接データ転送することも可能である。
【０１５６】
医療機関管理用ＰＣ２０は、Ｈ／Ｔ２１ｄからデータ転送されてきた容器番号（No:A,No:B,No:C）／１次マニフェスト番号（No:xxx）／排出者コード(Un)を記録・蓄積し、廃棄物処理管理センター５の廃棄プロセス管理装置５０にデータ転送する（Ｓ１１１'）。
【０１５７】
そして、医療機関管理用ＰＣ２０やＨ／Ｔ２１ｄによって、廃棄プロセス管理装置５０から送られてくる判定情報を確認し、医療関係機関内２における廃棄プロセスの正否を確認してから、廃棄物処理容器１０ａ,１０ｂ,１０ｃと１次マニフェスト１１ｘを集運事業者３Ａに引き渡す（Ｓ１１２'）。
【０１５８】
なお、上述した医療関係機関内の廃棄プロセスにおいて、医療機関管理用ＰＣ２０に最後の廃棄プロセス（排出）の読み取りデータをすべて蓄積してから廃棄プロセス管理装置５０に対するデータ転送を行うようにしてもよい。
【０１５９】
一方、医療関係機関２内において上記廃棄プロセスが実行されたときの廃棄物処理管理センター５の廃棄プロセス管理装置５０の動作について図１０のフローチャートを参照しながら説明する。
【０１６０】
廃棄プロセス管理装置５０では、医療機関管理用ＰＣ２０からデータ転送されてくる容器番号、識別番号、１次マニフェスト番号を受信すると、受信した容器番号、識別番号、１次マニフェスト番号に時間情報を付加して関連付けを行い、廃棄プロセスデータとしてデータ記憶部５２に記憶する（Ｓ２００'、Ｓ２０１'、Ｓ２０３'）。
【０１６１】
続いて、データ判定部５３により、記憶した廃棄プロセスデータを識別番号登録テーブル５１やデータ記憶部５２のデータと照合し、廃棄プロセスが適正であるか否かを判定する（Ｓ２０４'）。
【０１６２】
廃棄プロセスデータが適正である場合、廃棄プロセスが適正であることを示す判定情報を生成して医療機関管理用ＰＣ２０に返送する（Ｓ２０４'）。
【０１６３】
また、廃棄プロセスデータが不正であると判定した場合は、廃棄プロセスが不正であることを示す判定情報を生成して医療機関管理用ＰＣ２０へ返送する（Ｓ２０４'）。
【０１６４】
なお、上記廃棄プロセスの判定情報は、Ｈ／Ｔ２１ａ，Ｈ／Ｔ２１ｂ，Ｈ／Ｔ２１ｃ，Ｈ／Ｔ２１ｄへ直接返送することも可能である。
【０１６５】
続いて、医療関係機関２から排出された後の廃棄プロセスについて説明する。
【０１６６】
医療関係機関２から排出された廃棄物の廃棄プロセスは、集運業者３Ａ、中間処理事業者４Ａ、集運事業者３Ｂ、最終処理事業者４Ｂによって分担されている。
【０１６７】
そして、図８に示すように、集運業者３Ａの廃棄物収集運搬車には車両コード(Vn)、中間処理事業者４の処分責任者や排出責任者には処分者コード(Wn)、排出者コード(Xn)、集運業者３Ｂの廃棄物収集車には車両コード(Yn)、最終処理事業者４Ｂの処分責任者には排出者コード(Zn)という識別番号を個別に付与しておき、これらの識別番号を予め廃棄物処理管理センター５に設置される廃棄プロセス管理装置５０の識別番号登録テーブル５１に登録しておく。
【０１６８】
まず、集運業者３Ａにおける廃棄プロセスについて図１１のフローチャートを参照しながら説明する。
【０１６９】
集運業者３Ａは、医療関係機関２の排出された廃棄物処理容器１０ａ，１０ｂ，１０ｃと１次マニフェスト１１ｘを受け取ると、Ｈ／Ｔ３１によって、まず、廃棄物処理容器１０ａ,１０ｂ,１０ｃに付加されているタグなどから容器番号を読み取り、次に、１次マニフェスト１１ｘのマニフェスト番号を読み取る（Ｓ３００'、Ｓ３０１'）。
【０１７０】
そして、廃棄物処理容器１０ａ,１０ｂ,１０ｃと１次マニフェスト１１ｘを所定の中間処理事業者４Ａまで運搬し、引き渡しが完了すると、Ｈ／Ｔ３１によって、読み取った容器番号（No:A,No:B,No:C）及び１次マニフェスト番号（No:xxx）と運搬した運搬収集車両３２に個別に付与されている車両コード(Vn)を集運事業者管理用ＰＣ３０Ａにデータ転送する（Ｓ３０２'、Ｓ３０３'、Ｓ３０４'）。
【０１７１】
集運事業者管理用ＰＣ３０Ａは、Ｈ／Ｔ３１からデータ転送されてきた容器番号（No:A,No:B,No:C）／１次マニフェスト番号（No:xxx）／車両コード(Vn)を記録・蓄積して廃棄物処理管理センター５の廃棄プロセス管理装置５０にデータ転送する（Ｓ３０５'）。
【０１７２】
そして、集運事業者管理用ＰＣ３０Ａによって、廃棄プロセス管理装置５０から送られてくる判定情報を確認し、廃棄プロセスの正否を確認する（Ｓ３０６'）。
【０１７３】
なお、Ｈ／Ｔ３１は、集運事業者管理用ＰＣ３０Ａを介さずに廃棄プロセス管理装置５０へ直接データ転送することも可能である。
【０１７４】
一方、集運事業者３Ａよって上記各廃棄プロセスが実行されたときの廃棄物処理管理センター５の廃棄プロセス管理装置５０の動作について図１０のフローチャートを参照しながら説明する。
【０１７５】
廃棄プロセス管理装置５０では、集運事業者管理用ＰＣ３０Ａからデータ転送されてくる容器番号（No:A,No:B,No:C）／１次マニフェスト番号（No:xxx）／車両コード(Vn)を受信すると、受信した容器番号（No:A,No:B,No:C）／１次マニフェスト番号（No:xxx）／車両コード(Vn)に時間情報を付加して関連付けを行い、廃棄プロセスデータとしてデータ記憶部５２に記憶する（Ｓ２００'、Ｓ２０１'、Ｓ２０３'）。
【０１７６】
続いて、データ判定部５３により、記憶した廃棄プロセスデータを識別番号登録テーブル５１やデータ記憶部５２のデータと照合し、廃棄プロセスが適正であるか否かを判定する（Ｓ２０４'）。
【０１７７】
廃棄プロセスデータが適正である場合、廃棄プロセスが適正であることを示す判定情報を生成して集運事業者管理用ＰＣ３０Ａに返送する（Ｓ２０４'）。
【０１７８】
また、廃棄プロセスデータが不正であると判定した場合は、廃棄プロセスが不正であることを示す判定情報を生成して集運事業者管理用ＰＣ３０Ａへ返送する（Ｓ２０４'）。
【０１７９】
なお、上記廃棄プロセスの判定情報は、Ｈ／Ｔ３１へ直接返送することも可能である。
【０１８０】
次に、中間処理事業者４Ａにおける廃棄プロセスについて図１２のフローチャートを参照しながら説明する。
【０１８１】
中間処理事業者４Ａは、上述した集運業者３Ａによって収集運搬されてきた廃棄物処理容器１０ａ，１０ｂ，１０ｃと１次マニフェスト１１ｘを受け取ると、Ｈ／Ｔ４１によって、まず、廃棄物処理容器１０ａ，１０ｂ，１０ｃに付加されているタグなどから容器番号を読み取り、次に、１次マニフェスト１１ｘのマニフェスト番号を読み取る（Ｓ４００'、Ｓ４０１'）。
【０１８２】
そして、Ｈ／Ｔ４１で読み取った容器番号（No:A,No:B,No:C）及び１次マニフェスト番号（No:xxx）を処分事業者管理用ＰＣ４０Ａにデータ転送する（Ｓ４０２'）。
【０１８３】
また、中間処理事業者４Ａでは、別の医療関係機関からも医療廃棄物が運搬されてくるので、同じく、容器番号及び１次マニフェストのマニフェスト番号を読み取って処分事業者管理用ＰＣ４０Ａにデータ転送する。
【０１８４】
例えば、図８に示すように、Ｈ／Ｔ４１によって、別の医療関係機関などから運搬されてきた廃棄物処理容器１０ｄや廃棄物処理容器１０ｅの容器番号及び添付されてくるマニフェスト１１ｙ，１１ｚのマニフェスト番号を読み取り、読み取った容器番号（No:D）,（No:E）及び１次マニフェスト番号（No:yyy）,（No:zzz）を処分事業者管理用ＰＣ４０Ａにデータ転送する。
【０１８５】
処分事業者管理用ＰＣ４０Ａは、Ｈ／Ｔ４１からデータ転送されてきた容器番号（No:A,No:B,No:C）,（No:D）,（No:E）及び１次マニフェスト番号（No:xxx）,（No:yyy）,（No:zzz）を記録・蓄積して処分事業者内の管理などに利用する。なお、別途、識別番号を設け、廃棄物処理管理センター５の廃棄プロセス管理装置５０にデータ転送して利用するようにしてもよい（Ｓ４０３'）。
【０１８６】
次に、これらの廃棄物処理容器を最終処分できるものと別の処理事業者（最終処理事業者）へ排出するものに分類する（Ｓ４０４'）。
【０１８７】
ここで、廃棄物処理容器を最終処分する場合（ここでは、廃棄物処理容器１０ａ,１０ｂ）、この廃棄プロセス（中間処理；処分）において、処分責任者がＨ／Ｔ４１によって、まず、廃棄物処理容器１０ａ,１０ｂに付加されているタグなどから容器番号を読み取り、続いて、廃棄物処理容器１０ａ,１０ｂの情報が記載されている１次マニフェスト１１ｘのマニフェスト番号を読み取る（Ｓ４０４'→Ｓ４０５'）。
【０１８８】
そして、廃棄物処理容器１０ａ,１０ｂの廃棄処分が完了すると、処分責任者は、Ｈ／Ｔ４１で読み取った容器番号（No:A,No:B）及び１次マニフェスト番号（No:xxx）と自分に付与されている処分者コード(Wn)を処分事業者管理用ＰＣ４０Ａにデータ転送する（Ｓ４０６'、Ｓ４０７'）。
【０１８９】
処分事業者管理用ＰＣ４０Ａは、Ｈ／Ｔ４１からデータ転送されてきた容器番号（No:A,No:B）／１次マニフェスト番号（No:xxx）／処分者コード(Wn)を記録・蓄積し、廃棄物処理管理センター５の廃棄プロセス管理装置５０にデータ転送する（Ｓ４０８'）。  
【０１９０】
そして、処分事業者管理用ＰＣ４０Ａによって、廃棄プロセス管理装置５０から送られてくる判定情報を確認し、廃棄プロセスの正否を確認する（Ｓ４０９'）。
【０１９１】
なお、Ｈ／Ｔ４１は、処分事業者管理用ＰＣ４０Ａを介さずに廃棄プロセス管理装置５０へ直接データ転送することも可能である。
【０１９２】
一方、上述したステップＳ４０４'において、廃棄物処理容器を他の処理事業者（最終処分事業者）へ排出する場合、同種の医療廃棄物が収容されている複数の廃棄物処理容器を１つにまとめ、新たな容器番号が付与されている別の廃棄物処理容器に収容したものとみなす。
【０１９３】
例えば、図８のように、廃棄物処理容器１０ｃ,１０ｄ,１０ｅを１つにまとめて排出する場合、容器番号（No:F）が付与された廃棄物処理容器１０ｆに収容したものとみなし、廃棄物処理容器１０ｃ,１０ｄ,１０ｅに添付されていた１次マニフェスト１１ｘ，１１ｙ，１１ｚに基づいて、廃棄物処理容器１０ｆに収容した医療廃棄物の情報を新たに２次マニフェスト１２に記載し、廃棄物処理容器１０ｆに２次マニフェスト１２を添付して排出する。
【０１９４】
この廃棄プロセス（中間処理；排出）では、まず、排出責任者がＨ／Ｔ４１によって、廃棄物処理容器１０ｃ,１０ｄ,１０ｅに添付されていた１次マニフェスト１１ｘ，１１ｙ，１１ｚのマニフェスト番号（No:xxx）,（No:yyy）,（No:zzz）を読み取る（Ｓ４０４'→Ｓ４１０'）。
【０１９５】
次に、Ｈ／Ｔ４１によって、廃棄物処理容器１０ｃ,１０ｄ,１０ｅを１つにまとめた新たな廃棄物処理容器１０ｆに付与してある容器番号（No:F）を読み取る（Ｓ４１１'）。
【０１９６】
続いて、２次マニフェスト１２のマニフェスト番号（以下、２次マニフェスト番号（No:xyz））を読み取る（Ｓ４１２'）。
【０１９７】
そして、読み取った１次マニフェスト番号（No:xxx）,（No:yyy）,（No:zzz）と容器番号（No:F）及び２次マニフェスト番号（No:xyz）、自分に付与されている排出者コード(Xn)を処分事業者管理用ＰＣ４０Ａにデータ転送する（Ｓ４１３'）。
【０１９８】
処分事業者管理用ＰＣ４０Ａは、Ｈ／Ｔ４１からデータ転送されてきた１次マニフェスト番号（No:xxx）,（No:yyy）,（No:zzz）／容器番号（No:F）／２次マニフェスト番号（No:xyz）／排出者コード(Xn)を記録・蓄積し、廃棄物処理管理センター５の廃棄プロセス管理装置５０にデータ転送する（Ｓ４１４'）。  
【０１９９】
そして、処分事業者管理用ＰＣ４０Ａによって、廃棄プロセス管理装置５０から送られてくる判定情報を確認し、廃棄プロセスの正否を確認してから、廃棄物処理容器１０ｆと２次マニフェスト１２を集運事業者３Ｂに引き渡す（Ｓ４１５'）。
【０２００】
一方、中間処理事業者４Ａによって上記各廃棄プロセスが実行されたときの廃棄物処理管理センター５の廃棄プロセス管理装置５０の動作について図１０のフローチャートを参照しながら説明する。
【０２０１】
廃棄プロセス管理装置５０では、処分事業者管理用ＰＣ４０Ａからデータ転送されてくる「容器番号（No:A,No:B）／１次マニフェスト番号（No:xxx）／処分者コード(Wn)」や「１次マニフェスト番号（No:xxx）,（No:yyy）,（No:zzz）／容器番号（No:F）／２次マニフェスト番号（No:xyz）／排出者コード(Xn)」を受信すると、受信した１次マニフェスト番号や２次マニフェスト番号、容器番号、処分者コードや排出者コードに時間情報を付加して関連付けを行い、廃棄プロセスデータとしてデータ記憶部５２に記憶する（Ｓ２００'、Ｓ２０１'、Ｓ２０３'）。
【０２０２】
続いて、データ判定部５３により、記憶した廃棄プロセスデータを識別番号登録テーブル５１やデータ記憶部５２のデータと照合し、廃棄プロセスが適正であるか否かを判定する（Ｓ２０４'）。
【０２０３】
廃棄プロセスデータが適正である場合、廃棄プロセスが適正であることを示す判定情報を生成して処分事業者管理用ＰＣ４０Ａに返送する（Ｓ２０４'）。
【０２０４】
また、廃棄プロセスデータが不正であると判定した場合は、廃棄プロセスが不正であることを示す判定情報を生成して処分事業者管理用ＰＣ４０Ａへ返送する（Ｓ２０４'）。
【０２０５】
なお、上記廃棄プロセスの判定情報は、Ｈ／Ｔ４１へ直接返送することも可能である。
【０２０６】
次に、集運業者３Ｂにおける廃棄プロセスについて説明する。集運業者３Ｂは、上述した集運業者３Ａと同様の廃棄プロセスであるので、図１１を参照しながら説明する。
【０２０７】
集運業者３Ｂは、中間処理事業者４Ａから排出された廃棄物処理容器１０ｆと２次マニフェスト１２を受け取ると、Ｈ／Ｔ３１によって、まず、２次マニフェスト１２のマニフェスト番号を読み取り、次に、廃棄物処理容器１０ｆの容器番号を読み取る（Ｓ３００'、Ｓ３０１'）。
【０２０８】
そして、廃棄物処理容器１０ｆと２次マニフェスト１２を最終処理事業者４Ｂまで運搬し、引き渡しが完了すると、Ｈ／Ｔ３１によって、読み取った２次マニフェスト番号（No:xyz）及び容器番号（No:F）と運搬した運搬収集車両３２に個別に付与されている車両コード(Yn)を集運事業者管理用ＰＣ３０Ｂにデータ転送する（Ｓ３０２'、Ｓ３０３'、Ｓ３０４'）。
【０２０９】
集運事業者管理用ＰＣ３０Ｂは、Ｈ／Ｔ３１からデータ転送されてきた２次マニフェスト番号（No:xyz）／容器番号（No:F）／車両コード(Yn)を記録・蓄積して廃棄物処理管理センター５の廃棄プロセス管理装置５０にデータ転送する（Ｓ３０５'）。
【０２１０】
そして、集運事業者管理用ＰＣ３０Ｂによって、廃棄プロセス管理装置５０から送られてくる判定情報を確認し、廃棄プロセスの正否を確認する（Ｓ３０６'）。
【０２１１】
なお、Ｈ／Ｔ３１は、集運事業者管理用ＰＣ３０Ｂを介さずに廃棄プロセス管理装置５０へ直接データ転送することも可能である。
【０２１２】
一方、集運事業者３Ｂよって上記各廃棄プロセスが実行されたときの廃棄物処理管理センター５の廃棄プロセス管理装置５０の動作について図１０のフローチャートを参照しながら説明する。
【０２１３】
廃棄プロセス管理装置５０では、集運事業者管理用ＰＣ３０Ｂからデータ転送されてくる２次マニフェスト番号（No:xyz）／容器番号（No:F）／車両コード(Yn)を受信すると、受信した２次マニフェスト番号（No:xyz）／容器番号（No:F）／車両コード(Yn)に時間情報を付加して関連付けを行い、廃棄プロセスデータとしてデータ記憶部５２に記憶する（Ｓ２００'、Ｓ２０１'、Ｓ２０３'）。
【０２１４】
続いて、データ判定部５３により、記憶した廃棄プロセスデータを識別番号登録テーブル５１やデータ記憶部５２のデータと照合し、廃棄プロセスが適正であるか否かを判定する（Ｓ２０４'）。
【０２１５】
廃棄プロセスデータが適正である場合、廃棄プロセスが適正であることを示す判定情報を生成して集運事業者管理用ＰＣ３０Ｂに返送する（Ｓ２０４'）。
【０２１６】
また、廃棄プロセスデータが不正であると判定した場合は、廃棄プロセスが不正であることを示す判定情報を生成して集運事業者管理用ＰＣ３０Ｂへ返送する（Ｓ２０４'）。
【０２１７】
なお、上記廃棄プロセスの判定情報は、Ｈ／Ｔ３１へ直接返送することも可能である。
【０２１８】
次に、最終処理事業者４Ｂにおける廃棄プロセスについて図１３のフローチャートを参照しながら説明する。
【０２１９】
最終処理事業者４Ｂは、上述した集運業者３Ｂによって収集運搬されてきた廃棄物処理容器１０ｆと２次マニフェスト１２を受け取ると、Ｈ／Ｔ４１によって、まず、２次マニフェスト１２のマニフェスト番号を読み取り、次に、廃棄物処理容器１０ｆの容器番号を読み取る（Ｓ５００'、Ｓ５０１'）。
【０２２０】
そして、廃棄物処理容器１０ｆの廃棄処分が完了すると、処分責任者は、Ｈ／Ｔ４１で読み取った２次マニフェスト番号（No:xyz）及び容器番号（No:F）と自分に付与されている処分者コード(Zn)を処分事業者管理用ＰＣ４０Ｂにデータ転送する（Ｓ５０２'、Ｓ５０３'）。
【０２２１】
処分事業者管理用ＰＣ４０Ｂは、Ｈ／Ｔ４１からデータ転送されてきた２次マニフェスト番号（No:xyz）／容器番号（No:F）／処分者コード(Zn)を記録・蓄積し、これらのデータを廃棄物処理管理センター５の廃棄プロセス管理装置５０にデータ転送する（Ｓ５０４'）。
【０２２２】
そして、処分事業者管理用ＰＣ４０Ｂによって、廃棄プロセス管理装置５０から送られてくる判定情報を確認し、廃棄プロセスの正否を確認する（Ｓ５０５'）。
【０２２３】
一方、最終処理事業者４Ｂによって上記各廃棄プロセスが実行されたときの廃棄物処理管理センター５の廃棄プロセス管理装置５０の動作について図１０のフローチャートを参照しながら説明する。
【０２２４】
廃棄プロセス管理装置５０では、処分事業者管理用ＰＣ４０Ｂからデータ転送されてくる２次マニフェスト番号（No:xyz）／容器番号（No:F）／処分者コード(Zn)を受信すると、受信した２次マニフェスト番号（No:xyz）／容器番号（No:F）／処分者コード(Zn)に時間情報を付加して関連付けを行い、廃棄プロセスデータとしてデータ記憶部５２に記憶する（Ｓ２００'、Ｓ２０１'、Ｓ２０３'）。
【０２２５】
続いて、データ判定部５３により、記憶した廃棄プロセスデータを識別番号登録テーブル５１やデータ記憶部５２のデータと照合し、廃棄プロセスが適正であるか否かを判定する（Ｓ２０４'）。
【０２２６】
廃棄プロセスデータが適正である場合、廃棄プロセスが適正であることを示す判定情報を生成して処分事業者管理用ＰＣ４０Ｂに返送する（Ｓ２０４'）。
【０２２７】
また、廃棄プロセスデータが不正であると判定した場合は、廃棄プロセスが不正であることを示す判定情報を生成して処分事業者管理用ＰＣ４０Ｂへ返送する（Ｓ２０４'）。
【０２２８】
なお、上記廃棄プロセスの判定情報は、Ｈ／Ｔ４１へ直接返送することも可能である。
【０２２９】
このように、１次マニフェストと２次マニフェストで医療廃棄物の廃棄プロセスを管理している場合、本発明の医療廃棄物処理管理システムによって、各廃棄プロセスの作業者や車両に付与した個別の識別番号、廃棄物処理容器の容器番号、１次マニフェスト及び２次マニフェストのマニフェスト番号を関連付けして管理することで、現行のマニフェスト制度に則した廃棄プロセスの管理も可能となる。
【図面の簡単な説明】
【０２３０】
【図１】本発明に係る医療廃棄物処理管理システムの構成例を示した説明図である。
【図２】図１に示す医療廃棄物処理管理システムの第１実施例の各廃棄プロセスにおけるデータの流れを簡略化して示した説明図である。
【図３】図１に示す医療廃棄物処理管理システムの医療機関内におけるデータ処理の流れを説明するためのフローチャートである。
【図４】図１に示す医療廃棄物処理管理システムの廃棄プロセス管理装置のデータ処理を説明するためのフローチャートである。
【図５】図１に示す医療廃棄物処理管理システムの集運事業者におけるデータ処理の流れを説明するためのフローチャートである。
【図６】図１に示す医療廃棄物処理管理システムの廃棄物処分事業者（中間処理事業者）におけるデータ処理の流れを説明するためのフローチャートである。
【図７】図１に示す医療廃棄物処理管理システムの廃棄物処分事業者（最終処理事業者）におけるデータの流れを説明するためのフローチャートである。
【図８】図１に示す医療廃棄物処理管理システムの第２実施例における各廃棄プロセスのデータの流れを簡略化して示した説明図である。
【図９】図８に示す医療機関内におけるデータ処理の流れを説明するためのフローチャートである。
【図１０】図８に示す廃棄プロセス管理装置におけるデータ処理を説明するためのフローチャートである。
【図１１】図８に示す収集運搬時（集運事業者）におけるデータ処理の流れを説明するためのフローチャートである。
【図１２】図８に示す中間処理時（中間処理事業者）におけるデータ処理の流れを説明するためのフローチャートである。
【図１３】図８に示す最終処理時（最終処理事業者）におけるデータの流れを説明するためのフローチャートである。
【符号の説明】
【０２３１】
１；医療廃棄物
１０；廃棄物処理容器
１１；マニフェスト
１１ｘ,１１ｙ,１１ｚ；マニフェスト（１次マニフェスト）
１２；２次マニフェスト
２；医療機関
２０；医療機関用廃棄物データ管理機器
２１ａ，２１ｂ，２１ｃ，２１ｄ；端末機（Ｈ／Ｔ；Ｈａｎｄｙ Ｔｅｒｍｉｎａｌ）
３；集運事業者
３０，３０Ａ，３０Ｂ；集運事業者用廃棄物データ管理機器
３１；端末機（Ｈ／Ｔ；Ｈａｎｄｙ Ｔｅｒｍｉｎａｌ）
３２；運搬収集車両
４；廃棄物処理事業者
４０；処理事業者用廃棄物データ管理機器
４０Ａ；中間処理事業者用廃棄物データ管理機器
４０Ｂ；最終処理事業者用廃棄物データ管理機器
４１；端末機（Ｈ／Ｔ；Ｈａｎｄｙ Ｔｅｒｍｉｎａｌ）
５；廃棄物処理管理センター
５０；廃棄プロセス管理装置
５１；識別番号登録テーブル
５２；データ記憶部
５３；データ判定部
【図１】
2006318440.tif 000003
【図２】
2006318440.tif 000004
【図３】
2006318440.tif 000005
【図４】
2006318440.tif 000006
【図５】
2006318440.tif 000007
【図６】
2006318440.tif 000008
【図７】
2006318440.tif 000009
【図８】
2006318440.tif 000010
【図９】
2006318440.tif 000011
【図１０】
2006318440.tif 000012
【図１１】
2006318440.tif 000013
【図１２】
2006318440.tif 000014
【図１３】
2006318440.tif 000015